(57)【要約】  【課題】  既存の古いタイプの畦においても排水効率を良好に保った上で、水田水位調整装置の施工を可能にする。  【解決手段】  少なくとも、１５０ｍｍ〜２００ｍｍの口径とするエルボ管と同等以上の体積を有する略扁平箱型形状に形成されているとともに、１５０ｍｍ〜２００ｍｍのエルボ管の口径面積と同等以上とする面積の横長の長方形又は楕円形、あるいは長円形の排水口を有してなる桝体４を備えた。  【選択図】  図２
0003119794.tif 000002
【実用新案登録請求の範囲】
【請求項１】
下側に通水口を有し、水田の落ち口桝に抜き挿し可能に装着される堰板と、当該堰板に前記通水口に連通して設けられた桝体と、当該桝体の上面に垂直方向に配管された直管状の外管と、当該外管内に対して昇降可能に嵌合した水位調整管とから構成され、前記桝体は、少なくとも、１５０ｍｍ〜２００ｍｍの口径とするエルボ管と同等以上の体積を有する略扁平箱型形状に形成されているとともに、１５０ｍｍ〜２００ｍｍのエルボ管の口径面積と同等以上とする面積の横長の長方形又は楕円形、あるいは長円形の排水口を有してなることを特徴とする水田水位調整装置。
【請求項２】
前記桝体の内部底の全面又は一部面を、堰板に向かって低くなる傾斜面にしていることを特徴とする請求項１に記載の水田水位調整装置。
【考案の詳細な説明】
【技術分野】
【０００１】
本考案は、水田の水位を調整する水田水位調整装置に関し、詳しくは、水位の調整が田面と排水路の高低差が小さい水田の排水に好適な水田水位調整装置に関する。
【背景技術】
【０００２】
本考案の水田水位調整装置に関連する先行技術文献情報として下記の非特許文献１がある。
この非特許文献１は、本願出願人が発行しているカタログであり、実願２００５−７６６９号に記載の考案の水田水位調整装置を実用化したものである。
この非特許文献１及び実願２００５−７６６９号に記載されている水田水位調整装置は、下側に通水口を有し、水田の落ち口桝に抜き挿し可能に装着される堰板と、当該堰板に前記通水口に連通して設けられたエルボ管と、当該エルボ管の上端に垂直方向として連結された直管状の外管と、当該外管内に対して昇降可能に嵌合した水位調整管とから構成されている。
すなわち、水田の水位を調整する際には、前記水位調整管を回転により昇降させて、目的の水位の位置にするため、水位の調整が無段階に、且つ極めて容易に行える水田水位調整装置である。
そして、落ち口桝から水田水位調整装置を抜き取ることにより、水田の水を落ち口桝の排水口から全て排水することができる。
【考案の開示】
【考案が解決しようとする課題】
【０００３】
ところで、水田の水位の調整には畦高が大きく関係し、その水位の調整を行うための排水を効率的に行うという観点から、田面と排水路との高低差を考慮された畦が形成される。
又、最近では、水田における水位の管理として、水位の上限を田面上２００ｍｍとすることが好ましいとされている。
そして、前記田面上２００ｍｍを確保し、更に、効率良い排水機能を確保する排水口径１５０ｍｍ〜２００ｍｍを確保するため、田面下およそ４０ｃｍとする畦を形成している。
すなわち、前記非特許文献１及び実願２００５−７６６９号に記載の水田水位調整装置は、前記したような畦に対応させたものである。
【０００４】
しかしながら、前記したような畦は、ごく最近に形成されたものであり、現在では、田面下およそ４０ｃｍとした畦は少なく、田面下およそ３０ｃｍとした古いタイプの畦がほとんどであって、前記の非特許文献１及び実願２００５−７６６９号に記載されている水田水位調整装置を使用することができなかった。
このような水田水位調整装置を用いるためには、畦を田面下およそ４０ｃｍに改造したり、小径のエルボ管を連結したりすることで対応ができるが、前者の場合、全面的な畦の改造となるため経費の負担が大きく、後者の場合、エルボ管が小径になるため排水効率が低下してしまということから、既存の古いタイプの畦に対応できる水田水位調整装置が望まれていた。
【０００５】
そこで本考案は、既存の古いタイプの畦においても排水効率を良好に保った上で、水田水位調整装置の施工を可能にすることを課題とし、この課題を解決した水田水位調整装置の提供を目的とする。
【課題を解決するための手段】
【０００６】
本考案が上記目的を達成するために採用した第１考案は、下側に通水口を有し、水田の落ち口桝に抜き挿し可能に装着される堰板と、当該堰板に前記通水口に連通して設けられた桝体と、当該桝体の上面に垂直方向に配管された直管状の外管と、当該外管内に対して昇降可能に嵌合した水位調整管とから構成され、前記桝体は、少なくとも、１５０ｍｍ〜２００ｍｍの口径とするエルボ管と同等以上の体積を有する略扁平箱型形状に形成されているとともに、１５０ｍｍ〜２００ｍｍのエルボ管の口径面積と同等以上とする面積の横長の長方形又は楕円形、あるいは長円形の排水口を有してなることを特徴とする水田水位調整装置である。
【０００７】
又、排水効率をより向上させると言う観点から、第２考案では、前記桝体の内部底の全面又は一部面を、堰板に向かって低くなる傾斜面にしていることを特徴とする水田水位調整装置にした。
【０００８】
本考案では、堰板の抜き挿し方向（上下方向）を縦と云い、堰板の抜き挿し方向と交差する方向を横と云い、すなわち、本考案で云う横長とは、縦方向よりも横方向が長いことを意味する。
【考案の効果】
【０００９】
本考案の水田水位調整装置によれば、下記の優れた効果が期待できる。
第１考案によれば、エルボ管の体積及び口径面積と同等以上の体積及び口径面積とする略扁平箱型形状の桝体を、堰板にその通水口に連通して設けているので、エルボ管の全高と比較してその全高を低くすることができる。
すなわち、桝体の全高を低くしたことから、この高さに対応させて堰板の全高を低くすることができるとともに、落ち口桝の全高を低くすることができるため、水田水位調整装置全体としてその高さを低くすることができる。
したがって、畦高が低い既存の古いタイプの畦においても、排水効率を良好に保った上での水田水位調整装置の施工が可能である。
【００１０】
又、第２考案によれば、桝体の内部底の全面又は一部面を、堰板に向かって低くなる傾斜面にしているので、より効果的な排水が期待できる。
【考案を実施するための最良の形態】
【００１１】
以下、本考案の水田水位調整装置を実施するための最良の形態を図面に基づいて説明する。
図中、符号１は水田水位調整装置、符号２は落ち口桝であり、この落ち口桝２に対して水田水位調整装置１が上方から抜き挿し可能に嵌合される。
【００１２】
本形態の水田水位調整装置１は、前記落ち口桝２に抜き挿し可能に装着される堰板３と、当該堰板３の通水口３１に連通して設けられた桝体４と、当該桝体４の上面に垂直方向に配管された直管状の外管５と、当該外管５内に対して昇降可能に嵌合した水位調整管６とから構成されている。
【００１３】
堰板３は、前記落ち口桝２の前後を分けるように内側に形成された凹部２１に嵌合する厚さで、且つ前記水位調整管６の最大伸長端よりも若干高くした板状のものであり、下方には前記通水口３１が開口され、上方には取っ手孔３２が開孔されている。
通水口３１は、１５０ｍｍのエルボ管の口径面積と同等の面積の横長長方形として開口されている。
【００１４】
桝体４は、１５０ｍｍの口径とするエルボ管と同等の体積を有する略扁平箱型形状に形成され、堰板３側には前記通水口３１と連通する排水口４１が形成され、上面には前記外管５が挿し込み配管されるソケット４２と連通する通水口４３が開口されている。
排水口４１は、図２及び図５に示すように前記通水口３１と同形とする横長長方形として開口され、桝体４を堰板３に固着する際に、当該排水口４１と前記通水口３１とを正対させている。
又、桝体４の内部底を、その最上流側から下流側中途まで前方傾斜の傾斜面４４として形成し、この傾斜面４４によって外管５方向から桝体４へ流れ込む水を傾斜面４４に沿って強制的に流れるようになっている。  
【００１５】
本形態の外管５及び水位調整管６の構成は、基本的には、前記非特許文献１及び実願２００５−７６６９号に記載されている水田水位調整装置と同様に、外管５に対して水位調整管６が螺合によって昇降可能に嵌合されたものであり、水位調整管６の上端に設けられた取っ手６１を回転させることによって、その水位調整管６の昇降高さ（水位）を無段階に調整できるようにしたものである（図２及び図３参照）。
図中、符号５１は雌ねじ部、符号６２は雄ねじ部である。
【００１６】
尚、本考案では、例示した外管５及び水位調整管６の構成に限定されるものでは無く、外管に対して水位調整管が昇降して、その水位調整管の昇降高さを調整できる構成であれば良い。
その外管及び水位調整管の構成の一例として、外管に対して水位調整管を抜き挿し可能に挿入し、この水位調整管を引き上げたり押し入れたりすることによって、水位調整管の昇降高さを調整するようにした構成が挙げられる（図示せず）。
この場合、挿入した際の外管の内面と水位調整管の外面との接触抵抗により、水位調整管の昇降高さを維持するようにしても良いし、水位調整管を電気や手動による昇降装置を介して機械的に昇降させるとともに、その昇降高さを維持するようにしても良い（いずれも図示せず）。
【００１７】
本形態の水田水位調整装置１によれば、前記非特許文献１及び実願２００５−７６６９号に記載されている水田水位調整装置に備えられたエルボ管と同目的、すなわち、水位調整管及び外管から垂直方向に流れ落ちる水の方向を、これと交差する方向に、且つ前記堰板３の通水口３１に向かう方向に変える前記構成の桝体４を備えているため、水田水位調整装置１及び落ち口桝２の全高を低くすることができるので、畦高が低い既存の古いタイプの畦においても、排水効率を良好に保った上での水田水位調整装置１の施工が可能であるとともに、より効果的な排水が期待できる。
【００１８】
なお、本考案は、例示した実施の形態に限定するものではなく、実用新案登録請求の範囲に記載された内容から逸脱することなく、他の構成による実施も可能である。
例えば、本形態で例示した桝体４の排水口４１は横長長方形のものであるが、本考案は、桝体の排水口の形状を横長楕円形、あるいは横長長円形にしても良い。
【図面の簡単な説明】
【００１９】
【図１】本考案の水田水位調整装置を落ち口桝に装着した状態の斜視図。
【図２】図１の（２）−（２）線断面図。
【図３】水位調整管を降下させている状態の側面図。
【図４】水田水位調整装置の正面図。
【図５】水田水位調整装置の背面図。
【符号の説明】
【００２０】
１：水田水位調整装置
２：落ち口桝
３：堰板
４：桝体
５：外管
６：水位調整管
２１：凹部
３１：通水口
４１：排水口
４４：傾斜面
５１：雌ねじ部
６２：雄ねじ部
【図１】
0003119794.tif 000003
【図２】
0003119794.tif 000004
【図３】
0003119794.tif 000005
【図４】
0003119794.tif 000006
【図５】
0003119794.tif 000007